(57)【特許請求の範囲】
【請求項１】
モータと、
前記モータによって回転するスピンドルと、
前記スピンドルに保持されるハンマーと、
前記ハンマーにより回転方向に打撃されるアンビルと、を有する打撃工具であって、
前記スピンドルの前部に小径部を形成し、
前記アンビルの後面に、前記小径部が嵌合する軸受孔を形成し、
前記アンビルに、ビットを挿入可能な挿着孔を形成し、
前記アンビルの前記挿着孔を、前記軸受孔に連通するように貫通形成したことを特徴とする打撃工具。
【請求項２】
前記小径部の前端に、凹部を形成したことを特徴とする請求項１に記載の打撃工具。
【請求項３】
前記凹部は、後方へ向かって先細りとなるテーパ状であることを特徴とする請求項２に記載の打撃工具。
【請求項４】
前記挿着孔と前記凹部とは連通していることを特徴とする請求項２又は３に記載の打撃工具。
【請求項５】
前記挿着孔は前記軸受孔よりも小径であることを特徴とする請求項１乃至４の何れかに記載の打撃工具。
【請求項６】
前記モータを収容するハウジングを有し、
前記ハウジングに装着されるバッテリーパックを有することを特徴とする請求項１乃至５の何れかに記載の打撃工具。
【請求項７】
モータと、
前記モータによって回転するスピンドルと、
前記スピンドルに保持されるハンマーと、
前記ハンマーにより回転方向に打撃されるアンビルと、を有する打撃工具であって、
前記スピンドルの前部に凹部を設け、
前記アンビルに、ビットを挿入可能な挿着孔を形成し、
前記凹部と前記挿着孔とを連通させたことを特徴とする打撃工具。
【発明の詳細な説明】
【技術分野】
【０００１】
本発明は、ハウジングの前方へ突出させたアンビルに回転打撃力を発生させるインパクトドライバ等の打撃工具に関する。
【背景技術】
【０００２】
図２は、打撃工具の一例であるインパクトドライバの一部縦断面図で、このインパクトドライバ４０は、ハウジング４１内でモータ４２によって回転するスピンドル４３と、そのスピンドル４３の前方でハウジング４１に同軸で軸支され、ビット４６の挿着孔４５を有する前端をハウジング４１の前方へ突出させたアンビル４４と、スピンドル４３に外装されるハンマー４７等を含んでスピンドル４３の回転を回転打撃力としてアンビル４４に伝達する打撃機構４８とを備えている。
このうちスピンドル４３の前端には、小径部４９が同軸で突設される一方、アンビル４４の後面には、小径部４９が嵌合する有底の軸受孔５０が形成されて、小径部４９を軸受孔５０に嵌合させることで、スピンドル４３の前端がアンビル４４に同軸で軸支されるようになっている（このようなインパクトドライバとして特許文献１参照）。
【先行技術文献】
【特許文献】
【０００３】
【特許文献１】特開２００３−２３１０６７号公報
【発明の概要】
【発明が解決しようとする課題】
【０００４】
このようなインパクトドライバ４０においては、狭い場所等での使い勝手を考慮して全体のコンパクト化を図るのが望ましい。このコンパクト化にはアンビル４４の軸方向長さＬ２を短くするのが有効であるが、アンビル４４の後面に軸受孔５０を設ける関係上、この軸受孔５０と干渉しない位置にビット４６の挿着孔４５を設ける必要があり、アンビル４４の短縮化には限界があった。
【０００５】
そこで、本発明は、アンビルを大幅に短縮化でき、延いては全体のコンパクト化が達成できる打撃工具を提供することを目的としたものである。
【課題を解決するための手段】
【０００６】
上記目的を達成するために、請求項１に記載の発明は、モータと、前記モータによって回転するスピンドルと、前記スピンドルに保持されるハンマーと、前記ハンマーにより回転方向に打撃されるアンビルと、を有する打撃工具であって、
前記スピンドルの前部に小径部を形成し、前記アンビルの後面に、前記小径部が嵌合する軸受孔を形成し、前記アンビルに、ビットを挿入可能な挿着孔を形成し、前記アンビルの前記挿着孔を、前記軸受孔に連通するように貫通形成したことを特徴とするものである。
請求項２に記載の発明は、請求項１の構成において、前記小径部の前端に、凹部を形成したことを特徴とするものである。
請求項３に記載の発明は、請求項２の構成において、前記凹部は、後方へ向かって先細りとなるテーパ状であることを特徴とするものである。
請求項４に記載の発明は、請求項２又は３の構成において、前記挿着孔と前記凹部とは連通していることを特徴とするものである。
請求項５に記載の発明は、請求項１乃至４の何れかの構成において、前記挿着孔は前記軸受孔よりも小径であることを特徴とするものである。
請求項６に記載の発明は、請求項１乃至５の何れかの構成において、前記モータを収容するハウジングを有し、前記ハウジングに装着されるバッテリーパックを有することを特徴とするものである。
上記目的を達成するために、請求項７に記載の発明は、モータと、前記モータによって回転するスピンドルと、前記スピンドルに保持されるハンマーと、前記ハンマーにより回転方向に打撃されるアンビルと、を有する打撃工具であって、
前記スピンドルの前部に凹部を設け、前記アンビルに、ビットを挿入可能な挿着孔を形成し、前記凹部と前記挿着孔とを連通させたことを特徴とするものである。
【発明の効果】
【０００７】
本発明によれば、アンビルの全長を短縮化できる。
【図面の簡単な説明】
【０００８】
【図１】インパクトドライバの一部縦断面図である。
【図２】従来のインパクトドライバの一部縦断面図である。
【発明を実施するための形態】
【０００９】
以下、本発明の実施の形態を図面に基づいて説明する。
図１は、打撃工具の一例であるインパクトドライバの一部縦断面図で、インパクトドライバ１は、左右の半割ハウジング３，３を組み付けて形成され、モータ４を収容する本体ハウジング２と、その本体ハウジング２の前方（図１の右側）に組み付けられ、スピンドル７、打撃機構８、アンビル９を収容する断面釣り鐘形状のハンマーケース６とを備えてなる。１０は、本体ハウジング２の下方に延設されたハンドルで、ハンドル１０の下端には図示しないバッテリーパックが装着され、ハンドル１０の上方には、スイッチトリガー１２の押し込み操作でＯＮしてモータ４を駆動させるスイッチ１１が収容されている。また、本体ハウジング２におけるスイッチトリガー１２の上方には、アンビル９の前方へ向けて照射するライトユニット１３が装着されている。
【００１０】
モータ４の出力軸５は、本体ハウジング２に組み付けられたギヤケース１４に軸支されて、ハンマーケース６内に突出するピニオン１５を嵌着している。ハンマーケース６内において、スピンドル７は、インターナルギヤ１６内で公転する２つの遊星歯車１７，１７を保持してピニオン１５に噛合させて、後端部が、ギヤケース１４に支持されるボールベアリング１８によって、出力軸５と同軸で軸支されている。
【００１１】
打撃機構８は、スピンドル７の前端に外装されるハンマー１９と、そのハンマー１９を前方へ付勢するコイルバネ２０とを備え、ハンマー１９は、スピンドル７とに跨って嵌合するボール２１，２１を介してスピンドル７と連結されている。具体的には、ハンマー１９の内周面に前端から後方へ向けて凹設されて後端が先細りとなる山形溝２２，２２と、スピンドル７の外周面で先端を前方に向けて凹設されたＶ字溝２３，２３とに跨ってボール２１，２１が嵌合することで、ハンマー１９は、ボール２１が山形溝２２の後端とＶ字溝２３の先端とに位置する前進位置に付勢されてスピンドル７と連結されている。
【００１２】
アンビル９は、ハンマーケース６の前端に保持されたメタル軸受２４によって中間部が軸支され、後面軸心に形成した軸受孔２５に、スピンドル７の前端に突設した小径部２６を嵌合させて、スピンドル７の前端を同軸で軸支している。また、アンビル９の軸心には、ビット２７の挿着孔２８が、軸受孔２５に連通するように貫通形成されて、挿着孔２８に対向する小径部２６の前面には、後方へ向かって先細りとなるテーパ状の受け凹部２９が形成されている。すなわち、挿着孔２８に挿入されたビット２７の後端を、小径部２６の受け凹部２９に当接させて軸方向で受ける構成としたものである。
【００１３】
一方、ハンマーケース６から突出するアンビル９の前端には、挿着孔２８に挿入されたビット２７を抜け止め装着するボール３０及びスリーブ３１等を備えたチャック機構が設けられている。
そして、ハンマーケース６内でアンビル９の後端には、ハンマー１９の前面に突設した図示しない爪が回転方向で係合する一対のフランジ３２，３２が放射状に延設されている。
【００１４】
以上の如く構成されたインパクトドライバ１においては、スイッチトリガー１２を押し込み操作してモータ４を駆動させると、出力軸５の回転が遊星歯車１７，１７を介してスピンドル７に伝わり、スピンドル７を回転させる。スピンドル７は、ボール２１，２１を介してハンマー１９を回転させ、ハンマー１９が係合するアンビル９を回転させるため、アンビル９の先端に装着したビット２７によってネジ締め等が可能となる。ネジ締めが進んでアンビル９への負荷が高まると、アンビル９に係合するハンマー１９の回転とスピンドル７の回転とにずれが生じるため、ハンマー１９は、ボール２１，２１がＶ字溝２３，２３に沿って転動することで、スピンドル７に対して相対的に回転しながらコイルバネ２０の付勢に抗して後退する。
【００１５】
そして、ハンマー１９の爪がアンビル９のフランジ３２，３２から外れると、ハンマー１９はコイルバネ２０の付勢により、ボール２１，２１がＶ字溝２３，２３の先端に向けて転動することで回転しながら前進する。よって、ハンマー１９の爪が再びフランジ３２，３２に係合して回転打撃力（インパクト）を発生させる。このアンビル９への係脱を繰り返すことで増し締めが行われる。
【００１６】
ここで、アンビル９において、ビット２７は、スピンドル７の小径部２６に設けた受け凹部２９に当接する位置で挿着されているため、従来よりも挿着位置は後退し、アンビル９の軸方向の全長Ｌ１は、図２で示したアンビルの全長Ｌ２よりも短くなる。よって、インパクトドライバ１の全長を前後方向に短くすることができる。また、アンビル９の短縮化により、アンビル９を軸支するメタル軸受２４やこれを保持するハンマーケース６側の軸受部分の長さも短くて済むため、ハンマーケース６も軸方向の全長が短くなる。
【００１７】
このように、上記形態のインパクトドライバ１によれば、アンビル９の挿着孔２８を、軸受孔２５に連通するように貫通形成して、スピンドル７の小径部２６の前端に、挿着孔２８に挿入されるビット２７の後端を受ける受け凹部２９を形成したことで、アンビル９を大幅に短縮化でき、全体のコンパクト化が達成できる。
特にここでは、受け凹部２９を、後方へ向かって先細りとなるテーパ状に形成したことで、同形状となるビット２７の後端をがたつきなく受けることができる。
【００１８】
なお、受け凹部の形状はテーパ状に限らず、半円状や、横断面円形や角形で底部まで同径となる有底孔とする等、ビットの後端形状に合わせて適宜変更可能である。
その他の構造においても、例えばハウジングは本体ハウジングとハンマーケースとからなるものに限らず、本体ハウジングとハンマーケースとを一体した格好の左右一対の半割ハウジングで形成する等、ハウジングや打撃機構の形態等は適宜変更可能である。勿論インパクトドライバ以外に、アングルインパクトドライバやインパクトレンチ等の他の打撃工具であっても本発明は採用可能である。
【符号の説明】
【００１９】
１・・インパクトドライバ、２・・本体ハウジング、４・・モータ、５・・出力軸、６・・ハンマーケース、７・・スピンドル、８・・打撃機構、９・・アンビル、１９・・ハンマー、２５・・軸受孔、２６・・小径部、２７・・ビット、２８・・挿着孔、２９・・受け凹部。
【図１】
0005284856.tif 000002
【図２】
0005284856.tif 000003